(57)【要約】【課題】シートに着座した着座者が自分の反射神経を把握することができるシートシステム等を提供することを目的とする。【解決手段】  シートシステム１は、シート本体Ｓ１０、および、シート本体Ｓ１０に座っている着座者の動作を検出するための情報を取得するセンサ（圧力センサ２１〜２６）を有するシートＳと、センサから情報を取得する端末（スマートフォンＳＰ）を備える。端末は、着座者に所定の動作をすべき指示を出力し、センサから取得した情報に基づいて着座者が所定の動作をしたか否かを判定し、指示を出力してから、所定の動作をするまでの応答時間および／または応答時間に基づいて評価した値を着座者に報知する。【選択図】図１
2020131770.tif 000002
【特許請求の範囲】
【請求項１】
シート本体、および、前記シート本体に設けられ、前記シート本体に座っている着座者の動作を検出するための情報を取得するセンサを有するシートと、
前記センサから前記情報を取得する端末と、を備えたシートシステムであって、
前記端末は、
前記着座者に所定の動作をすべき指示を出力し、
前記センサから取得した情報に基づいて着座者が前記所定の動作をしたか否かを判定し、
前記指示を出力してから、前記所定の動作をするまでの応答時間および／または前記応答時間に基づいて評価した値を着座者に報知することを特徴とするシートシステム。
【請求項２】
前記応答時間は、前記指示を出力してから前記所定の動作を開始するまでの反応時間と、前記指示を出力してから前記所定の動作を完了するまでの動作完了時間との少なくとも一方を含むことを特徴とする請求項１に記載のシートシステム。
【請求項３】
前記端末は、算出した前記応答時間と、記憶している基準の応答時間とを比較して、前記評価した値を決定することを特徴とする請求項１または請求項２に記載のシートシステム。
【請求項４】
前記センサは、圧力センサを含み、
前記端末は、前記圧力センサから取得した圧力の変化に基づいて着座者が前記所定の動作をしたか否かを判定することを特徴とする請求項１から請求項３のいずれか１項に記載のシートシステム。
【請求項５】
前記端末は、
前記センサから取得した信号の微分値を算出し、
前記微分値の大きさが第１閾値を超えたことを条件として、前記所定の動作が開始されたと判定することを特徴とする請求項１から請求項４のいずれか１項に記載のシートシステム。
【請求項６】
前記端末は、
前記微分値の大きさが第１閾値を超えたあと、前記第１閾値以下の第２閾値より小さくなったことを条件として、前記所定の動作が完了したと判定することを特徴とする請求項５に記載のシートシステム。
【請求項７】
前記端末は、前記センサから取得した信号の微分値の大きさが第３閾値よりも小さくなったことを条件として前記着座者に所定の動作をすべき指示を出力することを特徴とする請求項１から請求項６のいずれか１項に記載のシートシステム。
【請求項８】
前記端末は、前記所定の動作をすべき指示として、複数の指示の中からランダムに選択した指示を出力することを特徴とする請求項１から請求項７のいずれか１項に記載のシートシステム。
【請求項９】
前記端末は、前記指示の出力と応答時間の算出を複数回行い、複数取得した応答時間の平均を着座者に報知し、および／または応答時間の平均に基づいて評価した値を着座者に報知することを特徴とする請求項１から請求項８のいずれか１項に記載のシートシステム。
【請求項１０】
前記端末と通信可能なサーバをさらに備え、
前記端末は、着座者の属性を記憶しており、算出した応答時間および着座者の属性をサーバに送信し、
前記サーバは、前記着座者の属性と応答時間を蓄積することを特徴とする請求項１から請求項９のいずれか１項に記載のシートシステム。
【請求項１１】
シート本体に設けられたセンサから情報を取得可能な端末で実行されるプログラムであって、
シート本体に座った着座者に所定の動作をすべき指示を出力する指示ステップと、
センサから前記情報を取得する取得ステップと、
前記センサから取得した情報に基づいて前記着座者が前記所定の動作をしたか否かを判定する判定ステップと、
前記指示を出力してから、前記所定の動作をするまでの応答時間および／または前記応答時間に基づいて評価した値を着座者に報知する報知ステップと、を前記端末に実行させることを特徴とするプログラム。
【請求項１２】
前記判定ステップにおいて、前記センサから取得した信号の微分値を算出し、前記微分値の大きさが第１閾値を超えたことを条件として、前記所定の動作が開始されたと判定することを特徴とする請求項１１に記載のプログラム。
【請求項１３】
前記判定ステップにおいて、前記微分値の大きさが第１閾値を超えたあと、前記第１閾値以下の第２閾値より小さくなったことを条件として、前記所定の動作が完了したと判定することを特徴とする請求項１２に記載のプログラム。
【請求項１４】
前記指示ステップにおいて、前記センサから取得した信号の微分値の大きさが第３閾値よりも小さくなったことを条件として着座者に所定の動作をすべき指示を出力することを特徴とする請求項１１から請求項１３のいずれか１項に記載のプログラム。
【請求項１５】
前記指示ステップにおいて、複数の指示の中からランダムに選択した指示を出力することを特徴とする請求項１１から請求項１４のいずれか１項に記載のプログラム。
【発明の詳細な説明】
【技術分野】
【０００１】
本発明は、センサを有するシートを備えたシートシステムと、センサを有するシートから取得した情報に基づいて端末を動作させるプログラムに関する。
【背景技術】
【０００２】
従来、乗員の着座姿勢を検出するために、シート上に複数の圧力センサを配置した車両用シートが知られている（特許文献１）。
【先行技術文献】
【特許文献】
【０００３】
【特許文献１】特開２０１７−６５５０４号公報
【発明の概要】
【発明が解決しようとする課題】
【０００４】
しかし、従来の車両用シートは、運転者の着座姿勢を評価して提示するだけであるので、あまり有効に利用できないという問題がある。
【０００５】
そこで、本発明は、シートの新たな価値を提案するべく、シートに着座した着座者が自分の反射神経（反応速度）を把握することができるシートシステムおよびプログラムを提供することを目的とする。
【課題を解決するための手段】
【０００６】
前記した課題を解決するため、本発明に係るシートシステムは、シート本体、および、前記シート本体に設けられ、前記シート本体に座っている着座者の動作を検出するための情報を取得するセンサを有するシートと、前記センサから前記情報を取得する端末と、を備える。
前記端末は、前記着座者に所定の動作をすべき指示を出力し、前記センサから取得した情報に基づいて着座者が前記所定の動作をしたか否かを判定し、前記指示を出力してから、前記所定の動作をするまでの応答時間および／または前記応答時間に基づいて評価した値を着座者に報知する。
【０００７】
また、本発明に係るプログラムは、シート本体に設けられたセンサから情報を取得可能な端末で実行されるプログラムであって、シート本体に座った着座者に所定の動作をすべき指示を出力する指示ステップと、センサから前記情報を取得する取得ステップと、前記センサから取得した情報に基づいて前記着座者が前記所定の動作をしたか否かを判定する判定ステップと、前記指示を出力してから、前記所定の動作をするまでの応答時間および／または前記応答時間に基づいて評価した値を着座者に報知する報知ステップと、を前記端末に実行させる。
【０００８】
このようなシートシステムまたはプログラムによれば、シートに着座した着座者が、端末からの指示に従って所定の動作を行うと、端末が、センサから取得した情報に基づいて、指示を出力してから所定の動作をするまでの応答時間などを着座者に報知する。そのため、シートに着座した着座者が、自分の反射神経を把握することができる。
【０００９】
また、前記応答時間は、前記指示を出力してから前記所定の動作を開始するまでの反応時間と、前記指示を出力してから前記所定の動作を完了するまでの動作完了時間との少なくとも一方を含んでいてもよい。
【００１０】
これによれば、応答時間として反応時間と動作完了時間の少なくとも一方が含まれるので、着座者の反射神経を適正に測定することができる。
【００１１】
また、前記端末は、算出した前記応答時間と、記憶している基準の応答時間とを比較して、前記評価した値を決定してもよい。
【００１２】
これによれば、着座者は、基準の応答時間に基づいて評価された値を知ることができるので、自分の反射神経の能力がどの程度であるかを知ることができる。
【００１３】
また、前記センサは、圧力センサを含み、前記端末は、前記圧力センサから取得した圧力の変化に基づいて着座者が前記所定の動作をしたか否かを判定してもよい。
【００１４】
これによれば、圧力センサから取得した圧力値によって、着座者の動作を良好に判定することができる。
【００１５】
また、前記端末は、前記センサから取得した信号の微分値を算出し、前記微分値の大きさが第１閾値を超えたことを条件として、前記所定の動作が開始されたと判定してもよい。つまり、前記判定ステップにおいて、前記センサから取得した信号の微分値を算出し、前記微分値の大きさが第１閾値を超えたことを条件として、前記所定の動作が開始されたと判定してもよい。
【００１６】
これによれば、微分値に基づいて、所定の動作が開始されたことを良好に判定することができる。
【００１７】
また、前記端末は、前記微分値の大きさが第１閾値を超えたあと、前記第１閾値以下の第２閾値より小さくなったことを条件として、前記所定の動作が完了したと判定してもよい。つまり、前記判定ステップにおいて、前記微分値の大きさが第１閾値を超えたあと、前記第１閾値以下の第２閾値より小さくなったことを条件として、前記所定の動作が完了したと判定してもよい。
【００１８】
これによれば、微分値に基づいて、所定の動作が完了したことを良好に判定することができる。
【００１９】
また、前記端末は、前記センサから取得した信号の微分値の大きさが第３閾値よりも小さくなったことを条件として前記着座者に所定の動作をすべき指示を出力してもよい。つまり、前記指示ステップにおいて、前記センサから取得した信号の微分値の大きさが第３閾値よりも小さくなったことを条件として着座者に所定の動作をすべき指示を出力してもよい。
【００２０】
これによれば、着座者がほぼ静止した状態であるときに、所定の動作をすべき指示がなされるので、反射神経を精度よく測定することができる。
【００２１】
また、前記端末は、前記所定の動作をすべき指示として、複数の指示の中からランダムに選択した指示を出力してもよい。つまり、前記指示ステップにおいて、複数の指示の中からランダムに選択した指示を出力してもよい。
【００２２】
これによれば、着座者に異なる動作を指示することができるので、各動作に対する反射神経を着座者が知ることができる。
【００２３】
また、前記端末は、前記指示の出力と応答時間の算出を複数回行い、複数取得した応答時間の平均を着座者に報知し、および／または応答時間の平均に基づいて評価した値を着座者に報知してもよい。
【００２４】
これによれば、指示の出力と応答時間の算出を複数回行い、応答時間の平均などが着座者に報知されるので、着座者が平均的な反射神経を知ることができる。
【００２５】
また、前記端末と通信可能なサーバをさらに備え、前記端末は、着座者の属性を記憶しており、算出した応答時間および着座者の属性をサーバに送信し、前記サーバは、前記着座者の属性と応答時間を蓄積してもよい。
【００２６】
これによれば、サーバによって、着座者の属性と応答時間が蓄積されるので、例えば着座者の属性と同じ属性の他人の応答時間と、着座者の応答時間を比較することができる。
【発明の効果】
【００２７】
本発明によれば、シートに着座した着座者が、自分の反射神経を把握することができる。
【００２８】
また、応答時間として、指示を出力してから所定の動作を開始するまでの反応時間と、指示を出力してから所定の動作を完了するまでの動作完了時間との少なくとも一方を含めることで、着座者の反射神経を適正に測定することができる。
【００２９】
また、算出した前記応答時間と、記憶している基準の応答時間とを比較して、評価した値を決定する構成とすることで、着座者が、基準の応答時間に基づいて評価された値を知ることができるので、自分の反射神経の能力がどの程度であるかを知ることができる。
【００３０】
また、センサを、圧力センサを含む構成とすることで、圧力センサから取得した圧力値によって、着座者の動作を良好に判定することができる。
【００３１】
また、センサから取得した信号の微分値を算出し、微分値が第１閾値を超えたことを条件として、所定の動作が開始されたと判定する構成とすることで、所定の動作が開始されたことを良好に判定することができる。
【００３２】
また、微分値が第１閾値を超えたあと、第１閾値以下の第２閾値より小さくなったことを条件として、所定の動作が完了したと判定する構成とすることで、所定の動作が完了したことを良好に判定することができる。
【００３３】
また、センサから取得した信号の微分値が第３閾値よりも小さくなったことを条件として着座者に所定の動作をすべき指示を出力する構成とすることで、着座者がほぼ静止した状態であるときに、所定の動作をすべき指示がなされるので、反射神経を精度よく測定することができる。
【００３４】
また、所定の動作をすべき指示として、複数の指示の中からランダムに選択した指示を出力する構成とすることで、着座者に異なる動作を指示することができるので、各動作に対する反射神経を着座者が知ることができる。
【００３５】
また、指示の出力と応答時間の算出を複数回行い、応答時間の平均などを着座者に報知する構成とすることで、着座者が平均的な反射神経を知ることができる。
【００３６】
また、サーバによって、着座者の属性と応答時間を蓄積することで、例えば着座者の属性と同じ属性の他人の応答時間と、着座者の応答時間を比較することができる。
【図面の簡単な説明】
【００３７】
【図１】一実施形態に係るシートシステムを示す図である。
【図２】スマートフォンでの処理を示すフローチャートである。
【図３】スタート画面を示す図である。
【図４】着座者を基準の姿勢に促すための初期画面を示す図である。
【図５】両膝を上げる動作を指示するときの画面を示す図である。
【図６】左膝を上げる動作を指示するときの画面を示す図である。
【図７】右膝を上げる動作を指示するときの画面を示す図である。
【図８】着座者が両膝を上げる動作をしたときの圧力値の変化を示す図（ａ）と、圧力値の微分値を示す図（ｂ）である。
【図９】着座者が左膝を上げる動作をしたときの圧力値の変化を示す図（ａ）と、圧力値の微分値を示す図（ｂ）である。
【図１０】着座者が右膝を上げる動作をしたときの圧力値の変化を示す図（ａ）と、圧力値の微分値を示す図（ｂ）である。
【図１１】反射神経の測定結果を表示する画面を示す図である。
【発明を実施するための形態】
【００３８】
次に、本発明の一実施形態について、適宜図面を参照しながら詳細に説明する。
図１に示すように、本実施形態のシートシステム１は、シートＳと、シート体験装置１０と、サーバＳＶとを含んでなる。
シートＳは、シート本体Ｓ１０と、圧力センサ２１〜２６とを備えてなる。シート本体Ｓ１０は、一例として、車両などの乗物に設置される乗物用シートであり、シートクッションＳ１、シートバックＳ２およびヘッドレストＳ３を有する。シートクッションＳ１とシートバックＳ２には、表皮の下に複数の圧力センサ２１〜２６が設けられている。圧力センサ２１〜２６は、シート本体Ｓ１０に座っている着座者の動作を検出するためのセンサである。
【００３９】
圧力センサ２１〜２６は、シート本体Ｓ１０に着座する着座者に対向する座面の状態を検知可能に配置され、シート本体Ｓ１０に座っている着座者からの圧力値を取得する。ＥＣＵ（電子制御ユニット）１００は、シート本体Ｓ１０の動作（例えば、図示しない電動リクライニングのモータやヒータなど）を制御する装置であり、各圧力センサ２１〜２６から、測定値を取得可能に圧力センサ２１〜２６と接続されている。
【００４０】
各圧力センサ２１〜２６は、シートＳの左右の中心に対して左右対称に１対ずつ設けられている。なお、以下の説明や図面においては、左側に配置される圧力センサ２１〜２６については、符号の末尾に「Ｌ」を付し、右側に配置される圧力センサ２１〜２６については、符号の末尾に「Ｒ」を付して区別することもある。
【００４１】
シートクッションＳ１には、圧力センサ２１〜２３が設けられている。
圧力センサ２１は、着座者の坐骨の最下部に対応する位置に設けられている。この位置では、着座者の荷重が最も大きくかかる。
【００４２】
圧力センサ２２は、圧力センサ２１の少し前に配置されている。
【００４３】
圧力センサ２１および圧力センサ２２は、いずれも、着座者の臀部からの圧力を測定するためのものであり、いずれか一方のみが設けられていてもよい。
【００４４】
圧力センサ２３は、圧力センサ２１および圧力センサ２２から前方に大きく離れて配置されている。圧力センサ２３は、着座者の大腿の下に位置し、着座者の大腿からの圧力値を測定可能である。
【００４５】
シートバックＳ２には、圧力センサ２４〜２６が設けられている。圧力センサ２４は、着座者の腰の後ろに対応する位置に設けられている。
【００４６】
圧力センサ２５は、圧力センサ２４の少し上に配置されている。
【００４７】
圧力センサ２４および圧力センサ２５は、いずれも、着座者の腰からの圧力を測定するためのものであり、いずれか一方のみが設けられていてもよい。
【００４８】
圧力センサ２６は、圧力センサ２４および圧力センサ２５から上方に大きく離れて配置されている。圧力センサ２６は、着座者の肩に対応して位置し、着座者の肩からの圧力値を測定可能である。
【００４９】
本実施形態においては、シートシステム１は、各圧力センサ２１〜２６を使用した反射神経測定のゲームを提供するものとする。本実施形態においては、各圧力センサ２１〜２６は、シート本体Ｓ１０に座っている着座者の動作を検出するための測定値を取得するセンサの一例である。反射神経測定のゲームは、シート本体Ｓ１０に座った着座者が、スマートフォンＳＰのディスプレイＤＳＰ上に表示されたキャラクターのポーズやメッセージに従って、反射神経の測定を行うことを可能なゲームとする。
【００５０】
シート本体Ｓ１０には、スマートフォンＳＰを保持するためのホルダ４が設けられている。ホルダ４は、ワイヤを屈曲させて形成され、一端がシートバックＳ２に固定され、他端にスマートフォンＳＰを固定する固定部４Ａが設けられている。固定部４ＡにスマートフォンＳＰを固定することで、着座者は、スマートフォンＳＰを手に持たなくても、スマートフォンＳＰのディスプレイＤＳＰを見ることができる。このため、着座者は、ディスプレイＤＳＰを見ながら、反射神経測定のゲームで指示されている動きを、全身を使って行うことができる。
【００５１】
シート体験装置１０は、ＥＣＵ１００と、端末の一例としてのスマートフォンＳＰとを有してなる。
ＥＣＵ１００には、ブルートゥース（登録商標）またはＷｉ−Ｆｉ（登録商標）などの近距離無線通信を可能にする近距離通信機３Ａが接続されている。また、ＥＣＵ１００は、圧力センサ２１〜２６と接続されている。
【００５２】
ＥＣＵ１００、スマートフォンＳＰおよびサーバＳＶは、図示しないＣＰＵ、ＲＯＭ、ＲＡＭ、書換可能な不揮発性メモリ等を有し、予め記憶されたプログラムを実行する。なお、スマートフォンＳＰは、ディスプレイＤＳＰをさらに備えている。スマートフォンＳＰは、プログラムに従って動作することで、反射神経測定のゲームを実行するための各ステップをスマートフォンＳＰに実行させる。
【００５３】
具体的に、スマートフォンＳＰは、近距離通信機３ＡおよびＥＣＵ１００を介して各圧力センサ２１〜２６から測定値を取得し、取得した測定値に基づいて反射神経測定のゲームを実行する機能を有している。また、スマートフォンＳＰは、インターネットを介してサーバＳＶと通信可能となっている。
【００５４】
スマートフォンＳＰは、反射神経測定のゲーム中において、着座者に所定の動作をすべき指示を出力する機能を有している。詳しくは、スマートフォンＳＰは、所定の動作をすべき指示として、複数の指示の中からランダムに選択した指示を出力する。
【００５５】
本実施形態では、スマートフォンＳＰは、着座者に対して、所定の動作をすべき指示として、図５に示す両膝を上げる動作を促す第１指示と、図６に示す左膝を上げる動作を促す第２指示と、図７に示す右膝を上げる動作を促す第３指示と、を、乱数値を使ってランダムに選択して出力する。ここで、図６および図７に示す各画面において、左膝または右膝を上げる動作を行っているキャラクターは、着座者が分かりやすいように、着座者をミラーで映したような態様で表示されている。なお、各指示は、ディスプレイＤＳＰに表示した画像に加え、スマートフォンＳＰのスピーカーから出力する音声で行ってもよい。
【００５６】
スマートフォンＳＰは、指示を出力した後、指示に対応した圧力センサから取得した測定値（圧力）の変化に基づいて、着座者が所定の動作をしたか否かを判定する機能を有している。詳しくは、スマートフォンＳＰは、選択した指示が第１指示である場合には、着座者の臀部の下に配置される圧力センサ２１Ｌから測定値を取得する。
【００５７】
スマートフォンＳＰは、選択した指示が第２指示である場合には、着座者の左腿の下に配置される圧力センサ２３Ｌから測定値を取得する。スマートフォンＳＰは、選択した指示が第３指示である場合には、着座者の右腿の下に配置される圧力センサ２３Ｒから測定値を取得する。
【００５８】
ここで、着座者が第１指示に対応した両膝を上げる動作を行う場合には、図８（ａ）に示すような測定値が圧力センサ２１Ｌから取得される。スマートフォンＳＰは、圧力センサ２１Ｌから取得した測定値に基づいて、図８（ｂ）に示す微分値を算出し、この微分値を第３閾値ＴＨ３および閾値ＴＨ１１と比較することで、第１指示を出力するタイミングを決定するとともに、着座者が所定の動作をしたかの判定を行う。
【００５９】
詳しくは、スマートフォンＳＰは、圧力センサ２１Ｌから取得した測定値の微分値が第３閾値ＴＨ３よりも小さくなったことを条件として、着座者に所定の動作をすべき指示（第１指示）を出力する（時刻ｔ１）。ここで、着座者の反射神経を精度よく測定するには、所定の動作を開始する前に、着座者が静止した状態でいることが望ましい。そのため、第３閾値ＴＨ３を０に近い値とし、この第３閾値ＴＨ３よりも微分値が小さくなったあと、乱数値に基づく時間が経過したときに、乱数値を使ってランダムに選択した指示を出力することで、着座者の反射神経を精度よく測定することが可能となっている。
【００６０】
スマートフォンＳＰは、指示を出力した後、微分値が閾値ＴＨ１１を超えたことを条件として、所定の動作が開始されたと判定する（時刻ｔ２）。スマートフォンＳＰは、微分値が閾値ＴＨ１１を超えたあと、閾値ＴＨ１１より小さくなったことを条件として、所定の動作が完了したと判定する（時刻ｔ３）。
【００６１】
ここで、閾値ＴＨ１１は、第１閾値および第２閾値に相当する。つまり、本実施形態では、第１閾値と第２閾値を同じ値（閾値ＴＨ１）としている。
【００６２】
スマートフォンＳＰは、所定の動作をすべき指示を出力してから所定の動作をするまでの応答時間Ｔ１を算出する機能を有している。
【００６３】
本実施形態において、応答時間Ｔ１は、所定の動作をすべき指示を出力してから所定の動作を開始するまでの反応時間Ｔ１１と、所定の動作をすべき指示を出力してから所定の動作を完了するまでの動作完了時間Ｔ１３とを含む。また、本実施形態において、スマートフォンＳＰは、反応時間Ｔ１１および動作完了時間Ｔ１３の他、所定の動作を開始してから完了するまでの動作時間Ｔ１２を算出している。
【００６４】
着座者が第２指示に対応した左膝を上げる動作を行う場合には、図９（ａ）に示すような測定値が圧力センサ２３Ｌから取得される。スマートフォンＳＰは、圧力センサ２３Ｌから取得した測定値に基づいて、図９（ｂ）に示す微分値を算出し、この微分値を閾値ＴＨ３，ＴＨ１２と比較することで、第２指示を出力するタイミングを決定するとともに、着座者が所定の動作をしたかの判定を行う。
【００６５】
第３閾値ＴＨ３に基づいて第２指示を出力するタイミングを決定する方法は、前述した第１指示を出力するタイミングを決定する方法と同様である。
【００６６】
閾値ＴＨ１２は、第１閾値および第２閾値に相当する。閾値ＴＨ１２は、左膝を上げる動作が行われる際に取得される測定値の微分値に対応した閾値であり、両膝を上げる動作が行われる際に用いる閾値ＴＨ１１とは異なる値となっている。なお、図９（ｂ）においては、便宜上、閾値ＴＨ１２を負の領域に図示しているが、閾値ＴＨ２は正の値であるものとする。
【００６７】
スマートフォンＳＰは、指示を出力した後（時刻ｔ１１）、微分値が負の値であり、かつ、微分値の大きさが閾値ＴＨ１２を超えたことを条件として、所定の動作が開始されたと判定する（時刻ｔ１２）。また、スマートフォンＳＰは、微分値の大きさが閾値ＴＨ１２を超えたあと、微分値の大きさが閾値ＴＨ１２より小さくなったことを条件として、所定の動作が完了したと判定する（時刻ｔ１３）。
【００６８】
なお、反応時間Ｔ１１、動作時間Ｔ１２および動作完了時間Ｔ１３を算出する方法は、前述した両膝を上げる動作が行われる場合と同様である。
【００６９】
着座者が第３指示に対応した右膝を上げる動作を行う場合には、図１０（ａ）に示すような測定値が圧力センサ２３Ｒから取得される。スマートフォンＳＰは、圧力センサ２３Ｒから取得した測定値に基づいて、図１０（ｂ）に示す微分値を算出し、この微分値を閾値ＴＨ３，ＴＨ１３と比較することで、第３指示を出力するタイミングを決定するとともに、着座者が所定の動作をしたかの判定を行う。
【００７０】
ここで、閾値ＴＨ１３は、第１閾値および第２閾値に相当する。本実施形態では、閾値ＴＨ１３を、前述した閾値ＴＨ１２と同じ値とする。なお、第３指示を出力するタイミング（時刻ｔ２１）の決定方法、所定の動作の開始を判定する方法（時刻ｔ２２）、所定の動作の完了を判定する方法（時刻ｔ２３）、および、各時間Ｔ１１〜Ｔ１３の算出方法は、第２指示を出力する場合と同様である。
【００７１】
スマートフォンＳＰは、所定の動作をすべき指示の出力と各時間Ｔ１１〜Ｔ１３の算出を複数回行い、複数取得した各時間Ｔ１１〜Ｔ１３の平均を着座者に報知するとともに、各時間Ｔ１１〜Ｔ１３の平均に基づいて評価した値（以下、「評価値」ともいう。）を着座者に報知する機能を有している。また、スマートフォンＳＰは、複数取得した各時間Ｔ１１〜Ｔ１３のそれぞれのベストタイムを着座者に報知するとともに、ベストタイムに基づいて決定した評価値を着座者に報知する機能を有している。詳しくは、図１１に示すように、スマートフォンＳＰは、各時間Ｔ１１〜Ｔ１３のベストタイム、平均値、評価値を、ディスプレイＤＳＰに表示することで、着座者に報知する。
【００７２】
スマートフォンＳＰは、算出した反応時間Ｔ１１と、記憶している基準の反応時間Ｔ２１とを比較して、評価値を決定している。詳しくは、スマートフォンＳＰは、算出した反応時間Ｔ１１の平均値と、基準の反応時間Ｔ２１とを比較して、反応時間Ｔ１１の平均値に対する評価値を決定する。また、スマートフォンＳＰは、算出した反応時間Ｔ１１のベストタイムと、基準の反応時間Ｔ２１とを比較して、反応時間Ｔ１１のベストタイムに対する評価値を決定する。なお、平均値と比較する基準の反応時間Ｔ２１と、ベストタイムと比較する基準の反応時間Ｔ２１は、同じ値であってもよいし、異なる値であってもよい。
【００７３】
より詳しくは、スマートフォンＳＰは、算出した反応時間Ｔ１１（平均、ベストタイム）が、基準の反応時間Ｔ２１（平均、ベストタイム）よりも短いほど、高い評価値を決定し、長いほど、低い評価値を決定する。本実施形態では、高い評価値と、通常の評価値と、低い評価値といった３段階の評価値を例示する。評価値は、高い順に、「Ｅｘｃｅｌｌｅｎｔ」、「Ｇｏｏｄ」、「Ｂａｄ」とする。
【００７４】
スマートフォンＳＰは、Ｔ１１−Ｔ２１＜−α１の場合に、「Ｅｘｃｅｌｌｅｎｔ」の評価値を選択し、−α１≦Ｔ１１−Ｔ２１≦α２の場合に、「Ｇｏｏｄ」の評価値を選択し、Ｔ１１−Ｔ２１＞α２の場合に、「Ｂａｄ」の評価値を選択する。ここで、α１，α２は、正の値である。
【００７５】
なお、スマートフォンＳＰは、動作時間Ｔ１２および動作完了時間Ｔ１３について、反応時間Ｔ１１のときと同様の方法で、それぞれ、基準の動作時間Ｔ２２および基準の動作完了時間Ｔ２３と比較して、評価値を決定してもよい。
【００７６】
スマートフォンＳＰは、着座者の属性、例えば性別、年齢などを記憶しており、算出した各時間Ｔ１１〜Ｔ１３および着座者の属性をサーバＳＶに送信する機能を有している。サーバＳＶは、着座者の属性と各時間Ｔ１１〜Ｔ１３を蓄積する機能を有している。
【００７７】
次に、スマートフォンＳＰ（詳しくは、スマートフォンＳＰ内の処理部）の動作について詳細に説明する。
スマートフォンＳＰは、着座者が反射神経測定ゲームを行うためのアプリを立ち上げると、図２に示す処理を開始する（ＳＴＡＲＴ）。この処理において、スマートフォンＳＰは、まず、シートＳと通信可能な状態であるか否かを判定する（Ｓ１１）。
【００７８】
ステップＳ１１において通信可能な状態でないと判定した場合には（Ｎｏ）、スマートフォンＳＰは、本処理を終了する。ステップＳ１１において通信可能な状態であると判定した場合には（Ｙｅｓ）、スマートフォンＳＰは、反射神経測定ゲームのスタート画面（図３参照）をディスプレイＤＳＰ上に表示する（Ｓ１２）。
【００７９】
なお、図３に示すスタート画面では、反射神経測定ゲームを開始するためのスタートボタンＢ１と、反射神経測定ゲームを終了するための終了ボタンＢ２とが表示されている。
【００８０】
ステップＳ１２の後、スマートフォンＳＰは、スタートボタンＢ１が選択されたか否かを判定する（Ｓ１３）。ステップＳ１３においてスタートボタンＢ１が選択されていないと判定した場合には（Ｎｏ）、スマートフォンＳＰは、終了ボタンＢ２が選択されたか否かを判定する（Ｓ１４）。
【００８１】
ステップＳ１４において終了ボタンＢ２が選択されていないと判定した場合には（Ｎｏ）、スマートフォンＳＰは、ステップＳ１２の処理に戻る。ステップＳ１４において終了ボタンＢ２が選択されたと判定した場合には（Ｙｅｓ）、スマートフォンＳＰは、本処理を終了する。
【００８２】
ステップＳ１３においてスタートボタンＢ１が選択されたと判定した場合には（Ｙｅｓ）、スマートフォンＳＰは、図４に示す初期画面を表示する。初期画面には、着座者が最初にとるべき基準の姿勢が、シートおよびキャラクターからなる絵の画像とメッセージを用いて表示されている。具体的には、初期画面には、シートに腰深く座っているキャラクターが色付きで目立つように表示されるとともに、「背中をつけて腰深く座ってください。」というメッセージが表示される。これにより、着座者は、シートに腰深く座るといった基準の姿勢をとることができる。
【００８３】
また、初期画面には、着座者が、基準の姿勢からどのような動作をすべきかを示す、３種類の絵の画像と、３種類のメッセージとが、細線やグレーなどの目立たない態様で表示されている。具体的には、初期画面には、左膝を上げる動作を行っているキャラクターが「左膝を上げる」というメッセージとともに表示されている。
【００８４】
同様に、初期画面には、両膝を上げる動作に対応したキャラクターおよびメッセージと、右膝を上げる動作に対応したキャラクターおよびメッセージが表示されている。また、初期画面には、「姿勢が安定したら、いずれかの姿勢を表示します。画面に集中してください。」といった、着座者に動作の準備を促すためのメッセージが表示されている。
【００８５】
各動作に対応した３つの画像は、基準の姿勢を示す画像の下に左右に並んで表示される。両膝を上げる動作に対応した画像は、３つの画像のうち真ん中に配置される。左膝を上げる動作に対応した画像は、両膝を上げる動作に対応した画像の左に配置される。右膝を上げる動作に対応した画像は、両膝を上げる動作に対応した画像の右に配置される。
【００８６】
図２に戻って、スマートフォンＳＰは、ステップＳ１５において初期画面を表示させた後、所定の動作をすべき指示をランダムに選択する（Ｓ１６）。詳しくは、スマートフォンＳＰは、両膝を上げる動作を促す第１指示、左膝を上げる動作を促す第２指示、および、右膝を上げる動作を促す第３指示の中からランダムに１つの指示を選択する。
【００８７】
ステップＳ１６の後、スマートフォンＳＰは、所定の動作を判定するための閾値として、選択した指示に応じた閾値を設定する（Ｓ１７）。具体的には、スマートフォンＳＰは、例えば、所定の動作をすべき指示として第１指示を選択した場合には、ステップＳ１６において閾値ＴＨ１１（図８（ｂ）参照）を設定する。
【００８８】
ステップＳ１７の後、スマートフォンＳＰは、選択した指示に応じた圧力センサから測定値の取得を開始する（Ｓ１８）。具体的には、スマートフォンＳＰは、例えば、所定の動作をすべき指示として第１指示を選択した場合には、ステップＳ１８において臀部に対応した圧力センサ２１Ｌから測定値の取得を開始する。なお、ステップＳ１８は、取得ステップに相当する。
【００８９】
ステップＳ１８の後、スマートフォンＳＰは、取得した測定値の微分値の算出を開始する（Ｓ１９）。ステップＳ１９の後、スマートフォンＳＰは、微分値が第３閾値ＴＨ３よりも小さいか否かを判定する（Ｓ２０）。
【００９０】
ステップＳ２０において微分値が第３閾値ＴＨ３よりも小さいと判定した場合には（Ｙｅｓ）、スマートフォンＳＰは、着座者が基準の姿勢で静止していると判定し、その後、乱数値に基づく時間が経過したら、選択した指示を出力する（Ｓ２１）。なお、前述したステップＳ２０，Ｓ２１は、指示ステップに相当する。
【００９１】
具体的に、スマートフォンＳＰは、ステップＳ２１において指示を出力する場合には、指示に対応した画面（図５〜図７）をディスプレイＤＳＰに表示する。図５に示すように、第１指示に対応した画面では、両膝を上げる動作に対応したキャラクターおよびメッセージが、着色の有無や線の太さなどにより、他の画像よりも強調して表示される。図６に示すように、第２指示に対応した画面では、左膝を上げる動作に対応したキャラクターおよびメッセージが、着色の有無や線の太さなどにより、他の画像よりも強調して表示される。図７に示すように、第３指示に対応した画面では、右膝を上げる動作に対応したキャラクターおよびメッセージが、着色の有無や線の太さなどにより、他の画像よりも強調して表示される。
【００９２】
図２に戻って、スマートフォンＳＰは、ステップＳ２１の後、微分値が第１閾値を超えたか否かを判定することで、着座者が所定の動作を開始したか否かを判定する（Ｓ２２）。具体的には、例えば、選択した指示が第１指示である場合には、スマートフォンＳＰは、微分値が、第１指示に対応した閾値ＴＨ１１を超えたか否かを判定する。
【００９３】
ステップＳ２２において微分値が第１閾値を超えたと判定した場合には（Ｙｅｓ）、スマートフォンＳＰは、指示を出力してから所定の動作を開始するまでの反応時間Ｔ１１を算出する（Ｓ２３）。ステップＳ２３の後、スマートフォンＳＰは、微分値が第２閾値よりも小さくなったか否かを判定することで、着座者による所定の動作が完了したか否かを判定する（Ｓ２４）。
【００９４】
具体的には、例えば、選択した指示が第１指示である場合には、スマートフォンＳＰは、微分値が、第１指示に対応した閾値ＴＨ１１よりも小さくなったか否かを判定する。なお、前述したステップＳ２２，Ｓ２４は、判定ステップに相当する。
【００９５】
ステップＳ２４において微分値が第２閾値よりも小さくなったと判定した場合には（Ｙｅｓ）、スマートフォンＳＰは、所定の動作を開始してから完了するまでの動作時間Ｔ１２と、所定の動作をすべき指示を出力してから所定の動作を完了するまでの動作完了時間Ｔ１３を算出する（Ｓ２５）。なお、動作時間Ｔ１２と動作完了時間Ｔ１３の算出は、どちらを先に行ってもよい。つまり、動作時間Ｔ１２を先に算出し、反応時間Ｔ１１に動作時間Ｔ１２を加算することで動作完了時間Ｔ１３を算出してもよいし、動作完了時間Ｔ１３を先に算出し、動作完了時間Ｔ１３から反応時間Ｔ１１を減算することで、動作時間Ｔ１２を算出してもよい。
【００９６】
ステップＳ２５の後、スマートフォンＳＰは、所定の動作をすべき指示を所定回数出力したか否かを判定する（Ｓ２６）。ここで、所定回数は、任意に設定すればよいが、本実施形態では、６回とする。
【００９７】
ステップＳ２６において指示を所定回数出力していないと判定した場合には（Ｎｏ）、スマートフォンＳＰは、ステップＳ１５の処理に戻る。ステップＳ２６において指示を所定回数出力したと判定した場合には（Ｙｅｓ）、スマートフォンＳＰは、第１指示における各時間Ｔ１１〜Ｔ１３のベストタイム・平均値と、第２指示における各時間Ｔ１１〜Ｔ１３のベストタイム・平均値と、第３指示における各時間Ｔ１１〜Ｔ１３のベストタイム・平均値と、をディスプレイＤＳＰに表示して、着座者に報知する（Ｓ２７：図１１参照）。さらに、ステップＳ２７において、スマートフォンＳＰは、各指示における評価値もディスプレイＤＳＰに表示して、着座者に報知する（図１１参照）。ここで、ステップＳ２７は、報知ステップに相当する。
【００９８】
ステップＳ２７の後、スマートフォンＳＰは、算出した各指示に対応した各時間Ｔ１１〜Ｔ１３を、着座者の属性とともにサーバＳＶに送信して、本処理を終了する。
【００９９】
次に、シートシステム１の具体的な動作の一例を詳細に説明する。
図１に示すように、シートシステム１を構成する各機器（Ｓ，ＳＰ）が通信可能な状態において、着座者がスマートフォンＳＰを操作して反射神経測定アプリを立ち上げると、図２に示す処理において、ステップＳ１１：Ｙｅｓ→ステップＳ１２の処理が順次実行される。これにより、図３に示すスタート画面が、ディスプレイＤＳＰ上に表示される。
【０１００】
着座者がスタートボタンＢ１を選択すると、ステップＳ１３：Ｙｅｓ→ステップＳ１５の処理が順次実行される。これにより、図４に示す初期画面が、ディスプレイＤＳＰ上に表示される。着座者は、初期画面に従って、シートＳに背中をつけて腰深く座る基準の姿勢をとり、この姿勢を保ったまま指示を待つ。
【０１０１】
着座者が指示を待っている間、スマートフォンＳＰは、まず、３つの指示の中から１つの指示をランダムに選択する（Ｓ１６）。ここで、最初の指示として、第２指示が選択されたものとする。
【０１０２】
第２指示を選択したスマートフォンＳＰは、ステップＳ１７〜Ｓ１９の処理を順次実行することで、第２指示に応じた閾値ＴＨ１２（図９（ｂ）参照）を設定するとともに、第２指示（左腿）に対応した圧力センサ２３Ｌから測定値を取得して、測定値の微分値の算出を行う。スマートフォンＳＰがステップＳ２０を実行する際において、着座者が基準の姿勢を保っている場合には、図９（ｂ）に示すように、微分値が第３閾値ＴＨ３より小さくなるので（時刻ｔ１１）、スマートフォンＳＰは、ステップＳ２０においてＹｅｓと判定して、選択した第２指示を出力する（Ｓ２１、時刻ｔ１１）。
【０１０３】
これにより、ディスプレイＤＳＰの表示が、初期画面から図６の画面に切り替わるので、着座者は、図６の画面に従って、左膝を上げる動作を行う。このような動作を行うことで、左腿に対応した圧力センサ２３Ｌの測定値は、図９（ａ）に示すように変化し、測定値の微分値は、図９（ｂ）に示すように変化する。
【０１０４】
スマートフォンＳＰは、微分値が負であり、かつ、微分値の大きさが閾値ＴＨ１２を超えたと判定すると（Ｓ２２：Ｙｅｓ）、左膝上げ動作時の反応時間Ｔ１１を算出する（Ｓ２３）。その後、スマートフォンＳＰは、微分値の大きさが閾値ＴＨ１２より小さくなったと判定すると（Ｓ２４：Ｙｅｓ）、左膝上げ動作時の動作時間Ｔ１２と動作完了時間Ｔ１３を算出する（Ｓ２５）。
【０１０５】
その後、スマートフォンＳＰは、ステップＳ２６において、指示を所定回数（６回）出力していないと判定して（Ｎｏ）、ステップＳ１５に戻る。これにより、ディスプレイＤＳＰの表示が、図６の画面から再び初期画面に戻る。そのため、着座者は、初期画面に従って、基準の姿勢を再びとり、次の指示を待つ。
【０１０６】
その後、例えば、第１指令、第３指令、第３指令、第２指令、第１指令の順で、順次指示が選択されて、ステップＳ１５〜Ｓ２６の処理が５回繰り返されると、スマートフォンＳＰは、ステップＳ２６においてＹｅｓと判定して、図１１に示す画面をディスプレイＤＳＰに表示する。これにより、着座者は、左膝上げ動作時、両膝上げ動作時および右膝上げ動作時の各時間Ｔ１１〜Ｔ１３のベストタイムと平均値を知ることができる。また、着座者は、各動作時の評価値も知ることができる。
【０１０７】
以上、本実施形態のシートシステム１によれば、次の各効果を奏することができる。
シートＳに着座した着座者が、スマートフォンＳＰからの指示に従って所定の動作を行うと、スマートフォンＳＰが、圧力センサから取得した測定値に基づいて、指示を出力してから所定の動作をするまでの応答時間Ｔ１などを着座者に報知する。そのため、シートＳに着座した着座者が、自分の反射神経を把握することができる。
【０１０８】
応答時間Ｔ１として反応時間Ｔ１１と動作完了時間Ｔ１３の両方が含まれるので、着座者の反射神経を適正に測定することができる。
【０１０９】
スマートフォンＳＰが、算出した反応時間Ｔ１１と、記憶している基準の反応時間Ｔ２１とを比較して、評価値を決定するので、着座者が、評価値に基づいて、自分の反射神経の能力がどの程度であるかを知ることができる。
【０１１０】
圧力センサから取得した圧力値、詳しくは微分値に基づいて着座者の動作を判定するので、着座者の動作を良好に判定することができる。
【０１１１】
微分値が第３閾値ＴＨ３よりも小さくなったことを条件として指示を出力することで、着座者が基準の姿勢でほぼ静止した状態であるときに、所定の動作をすべき指示がなされるので、反射神経を精度よく測定することができる。
【０１１２】
これによれば、着座者に対してランダムに選択された異なる動作を指示することができるので、各動作に対する反射神経を着座者が知ることができる。また、着座者が、自分の得意な動作と、不得意な動作を把握することができる。
【０１１３】
指示の出力と各時間Ｔ１１〜Ｔ１３の算出を複数回行い、各時間Ｔ１１〜Ｔ１３の平均値が着座者に報知されるので、着座者が平均的な反射神経を知ることができる。
【０１１４】
サーバＳＶによって、着座者の属性と応答時間（各時間Ｔ１１〜Ｔ１３）が蓄積されるので、例えば着座者の属性と同じ属性の他人の応答時間と、着座者の応答時間を比較することができる。
【０１１５】
以上に本発明の実施形態について説明したが、本発明は、以下の他の形態に示すように、適宜変形して実施することが可能である。なお、以下の説明において、前記実施形態と略同様の構成については、同一符号を付し、説明を省略する。
【０１１６】
前記実施形態では、応答時間と評価値の両方を着座者に報知したが、本発明はこれに限定されず、応答時間のみを着座者に報知してもよいし、評価値のみを着座者に報知してもよい。
【０１１７】
前記実施形態では、応答時間として、反応時間Ｔ１１と動作完了時間Ｔ１３の両方を報知したが、本発明はこれに限定されず、応答時間として、反応時間と動作完了時間の少なくとも一方を報知すればよい。
【０１１８】
前記実施形態では、第１閾値と第２閾値を同じ値としたが、本発明はこれに限定されず、第１閾値と第２閾値は、異なる値であってもよい。例えば、第２閾値は、第１閾値よりも小さな値であってもよい。また、第１閾値および第２閾値を各指示に応じて異なる値にしたが、本発明はこれに限定されず、例えば、第２指示に対応した第１閾値および第２閾値と、第３指示に対応した第１閾値および第２閾値を、同じ値に設定してもよい。
【０１１９】
前記実施形態では、第１指示に対応した圧力センサを、着座者の臀部の下に配置される１つの圧力センサ２１Ｌとしたが、本発明はこれに限定されず、例えば、着座者の臀部の下に配置される４つの圧力センサ２１Ｌ，２１Ｒ，２２Ｌ，２２Ｒとしてもよい。この場合、スマートフォンＳＰは、例えば、４種類の圧力値の微分値のすべて、または、平均値が第３閾値ＴＨ３よりも小さいことを条件として、第１指示を出力してもよい。また、スマートフォンＳＰは、４種類の微分値のうちの１つが、第１指示に対応した閾値ＴＨ１１を超えた場合に、着座者が所定の動作を開始したと判定してもよい。さらに、スマートフォンＳＰは、所定の動作を開始したと判定した後、４種類の微分値のすべてが、第１指示に対応した閾値ＴＨ１１よりも小さくなった場合に、所定の動作が完了したと判定してもよい。
【０１２０】
前記実施形態では、シートＳとして、乗物用シートを例示したが、本発明はこれに限定されず、例えば、病院などの施設に設置されるシートなどであってもよい。本発明に係るシートＳを病院に設置した場合には、患者のリハビリにシートＳを利用することができるため、本発明のシートＳを有効に活用することができる。
【０１２１】
詳しくは、リハビリの必要な患者にアドバイスを送る療法士が、シートＳで測定した患者の反射神経を、スマートフォンＳＰのディスプレイＤＳＰから定量的に見て取ることができる。そのため、療法士の個人差によるバラツキを平準化することができる。また、シートＳで測定した患者の反射神経に基づいて、療法士は、患者の回復度合いを見て取ることができる。また、図１１に示すように、各動作に対応した反応時間等を数値化することで、療法士が、患者が正しい動きをやっているかを知ることができる。
【０１２２】
普段の反射神経よりも悪い結果の場合に、スマートフォンＳＰが着座者に注意を促す報知を行うように構成されていてもよい。例えば、図１１に示す右膝上げ動作時の今回のベストタイムが、普段のベストタイム（例えば、過去数十回行ったベストタイムの平均値）よりも大きい値の場合に、スマートフォンＳＰが、「右脚の反射速度が非常に遅くなっているため、病院での受診をお勧めします。」などの注意を促すメッセージを着座者に報知してもよい。
【０１２３】
また、この際、身体の不具合を修正する運動、広告、病院、生活習慣改善案などを提案するようにスマートフォンＳＰを構成してもよい。
【０１２４】
また、反応時間などの目標を画面に表示し、着座者が目標を達成したら、ポイントを獲得できるようにスマートフォンＳＰを構成してもよい。ポイントは、例えば買い物などに使用できるポイントなどとすることができる。また、ポイントを所定数貯めた場合に、その人の趣味に合わせた情報（豆知識）を提供するようにスマートフォンＳＰを構成してもよい。
【０１２５】
また、反射神経測定ゲームは、高齢者の運転適性テストとして利用してもよいし、運転前の運転可能判断テストで利用してもよい。
【０１２６】
また、各動作からのずれを自動で判定してもよい。例えば、右膝上げ動作時において、指示を出力してから所定時間経過しても微分値が第１閾値を超えなければ、微分値と第１閾値との差に応じて、「もっと右膝を上げてください。」というメッセージや、「あと少しだけ右膝を上げてください。」というメッセージなどを用いて、エラーを報知してもよい。
【０１２７】
サーバＳＶに蓄積した各属性の応答時間に基づいて、各属性の指標を作ってもよい。
【０１２８】
前記実施形態では、シートＳの座面の一部（一点）にかかる圧力を検出する圧力センサを例示したが、本発明はこれに限定されず、圧力センサは、例えば、座面全体にかかる圧力の分布を検出する圧力分布センサであってもよい。そして、スマートフォンＳＰは、圧力分布に基づいて、着座者が正しい動作をしたかを判断してもよい。また、圧力分布センサの上に、前記実施形態のような圧力センサを設けてもよい。
【０１２９】
センサは、圧力センサに限らず、光センサ、音を検知するセンサ、位置を検出するセンサ、静電容量センサなどであってもよい。光センサや静電容量センサの場合、所定の動作は、例えば、センサで検知される位置に手を置いたり、その位置から手をどかしたりする動作であってもよい。音を検知するセンサの場合、所定の動作は、着座者が声を発することであってもよい。
【０１３０】
動作の判定は、微分値に限らず、圧力値に基づいて判定してもよい。
【０１３１】
前記実施形態では、端末としてスマートフォンＳＰを例示したが、本発明はこれに限定されず、端末は、例えばタブレットなどのスマートフォンＳＰ以外の携帯端末であってもよい。また、端末は、シートに備え付けの端末であり、シートに一体に設けられていてもよい。また、端末は、カーナビゲーションシステムを構成する端末であってもよい。
【０１３２】
前記した実施形態および変形例で説明した各要素を、任意に組み合わせて実施してもよい。
【符号の説明】
【０１３３】
１      シートシステム
２１〜２６  圧力センサ
Ｓ      シート
Ｓ１０  シート本体
ＳＰ    スマートフォン
【図１】
2020131770.tif 000003
【図２】
2020131770.tif 000004
【図３】
2020131770.tif 000005
【図４】
2020131770.tif 000006
【図５】
2020131770.tif 000007
【図６】
2020131770.tif 000008
【図７】
2020131770.tif 000009
【図８】
2020131770.tif 000010
【図９】
2020131770.tif 000011
【図１０】
2020131770.tif 000012
【図１１】
2020131770.tif 000013